(57)【要約】    【課題】      分かりやすい簡単な操作により、一台のプリンタをスタンドアロンモードとオンラインモードに切り替えて使用できるプリンタの入力表示装置を提供する。    【解決手段】  プリンタに入力するときに使用するキーボード４と、キーボード４を覆い隠せるように開閉可能に配設された表示部３と、表示部３を開いた時にプリンタの動作モードをスタンドアロンモードに、表示部３を閉じた時にプリンタの動作モードをオンラインモードに切り替えるモード切替スイッチ８とを備える。【選択図】        図２
2005047218.tif 000002
【特許請求の範囲】
【請求項１】
プリンタに設けられる入力表示装置であって、プリンタに入力するときに使用する手入力部と、該手入力部を覆い隠せるように開閉可能に配設された表示部と、該表示部の開閉時に前記プリンタの動作モードを切り替えるモード切替スイッチとを備え、プリンタをスタンドアロンモードで使用するときには表示部を開いて手入力部を操作可能にするとともに、前記モード切替スイッチをスタンドアロンモードに切り替えた状態でプリンタを起動させ、プリンタをオンラインモードで使用するときには前記表示部が少なくとも前記手入力部の一部を覆い隠して手動操作不能にするとともに、前記モード切替スイッチをオンラインモードに切り替えた状態でプリンタを起動させることを特徴とするプリンタの入力表示装置。
【発明の詳細な説明】
【技術分野】
【０００１】
本発明は、一台のプリンタを単独で使用して入力から印字発行までを行うスタンドアロンモードと、ホストコンピュータなどの外部機器から制御信号を入力して印字発行を行うオンラインモードに切り替えて使用できるプリンタの入力表示装置に関するものである。
【背景技術】
【０００２】
従来ラベルプリンタには、図６の５０に示す如くキーボード５１などの手入力部とＬＣＤ（液晶ディスプレィ）などの表示装置５２を備え、一台で入力から印字発行までを行うスタンドアロンタイプのラベルプリンタと、通信インタフェースを備え、ホストコンピュータやハンディターミナルなどの外部機器（いずれも図示せず）から制御信号を入力して印字発行を行う図７のようなオンラインタイプのラベルプリンタ５３とが知られている。
【０００３】
図６のラベルプリンタ５０では、表示装置５２にキーボード５１からの入力内容を表示する他、機能呼出の表示や警告の表示などを行う。
また、図７のラベルプリンタ５３では、表示装置５４にエラーコードなどの文字表示を行う他、ONNLINE、用紙切れ等の警告を表示するＬＥＤ（発光ダイオード）等のインジケータ５５を備え、操作パネル５６にはLINEボタンとFEEDボタンだけが設けられている。以上のように、スタンドアロンタイプのラベルプリンタ５０とオンラインタイプのラベルプリンタ５３とでは入力および表示装置の機能や形状が大きく異なっている。
【０００４】
一方、ディップスイッチやモード切替設定によりオンラインプリンタとスタンドアロンプリンタの両方の機能を切り替えて使用できるものも知られている。しかし、ディップスイッチはその設置場所や設定方法が分かりにくく、モード切替設定に至る動作も、特定のキーを数秒間押し続ける、とか、特定のキーを押しながら電源を入れる、などのように難解なものであったため、操作が困難であった。
【０００５】
また、スタンドアロンモードとオンラインモードとを備えたラベルプリンタとして特許文献１が知られている。
【特許文献１】特開２００３−１５４７１３号公報
【発明の開示】
【発明が解決しようとする課題】
【０００６】
本発明は以上のような諸問題に鑑みなされたもので、本発明は分かりやすい簡単な操作により、一台のプリンタをスタンドアロンモードとオンラインモードとに切り替えて使用できるプリンタの入力表示装置を提供することを課題とする。
【課題を解決するための手段】
【０００７】
上記課題を解決するために本発明が採用する構成の特徴は、プリンタに入力するときに使用する手入力部と、該手入力部を覆い隠せるように開閉可能に配設された表示部と、該表示部の開閉時に前記プリンタの動作モードを切り替えるモード切替スイッチとを備え、プリンタをスタンドアロンモードで使用するときには表示部を開いて手入力部を操作可能にするとともに、前記モード切替スイッチをスタンドアロンモードに切り替えた状態でプリンタを起動させ、プリンタをオンラインモードで使用するときには前記表示部が少なくとも前記手入力部の一部を覆い隠して手動操作不能にするとともに、前記モード切替スイッチをオンラインモードに切り替えた状態でプリンタを起動させることにある。
【発明の効果】
【０００８】
上記構成によれば、一台のプリンタ単独で入力から印字発行まで行うスタンドアロンモードで使用するには、手入力部を操作するために、該手入力部を覆う表示部を開くことが必須となり、この状態で起動するとプリンタはスタンドアロンモードとなる。
【０００９】
また、オンラインモードでは手入力部を使用しないため、手入力部を覆う表示部を閉じて起動すべきことも明らかとなり、よって分かりやすい簡単な操作で、一台のプリンタをスタンドアロンモードとオンラインモードとに切り替えて使用できる。
【発明を実施するための最良の形態】
【００１０】
つぎに本発明の実施の形態によるプリンタの入力表示装置について、図１ないし図５に基づき説明する。
【００１１】
図１において、１は本発明の入力表示装置２が適用されるラベルプリンタを示している。該ラベルプリンタ１は入力表示装置２の表示部３を開いた（Ａ）の状態で起動した場合と、表示部３を閉じた（Ｂ）の状態で起動した場合とで入力表示装置２の形状もラベルプリンタの機能も異なる仕様になっている。
前記入力表示装置２は、図２、図３に示す如く、表側面にＬＣＤなどの表示器１５が設けられ裏側面にガイド突起６、６が突設された表示部３と、手入力部としてのキーボード４と後述するモード切替スイッチ８とを備えており、キーボード４には上、下に離間して二列の平行なガイド溝５が形成されている。そして、ガイド溝５内には前記表示部３裏面のガイド突起６が摺動可能に保持され、入力表示装置２は表示部３を図２中の左右方向に移動させてキーボード４の一部を操作不能な状態に覆い隠すことができるようになっている。
また、前記キーボード４には、「０」〜「９」の数キーや、取消キーなどのキー７が配設され、さらにこれらのキートップには図示しない文字キー、シフトキー、演算キー等の表示がなされ、各キーの単独または組み合わせを用いてオンラインモード時のラベルプリンタ１に印字する商品コードや商品名,単価,重量,値段等の情報入力を行うようになっている。
【００１２】
８はモード切替スイッチであり、前記表示部３を閉じてキーボード４を覆い隠したときに表示部３により押し込まれて閉成するようになっている。
【００１３】
図４はラベルプリンタ１の電子回路構成を示すブロック図である。１０は制御部本体を構成するＣＰＵ(中央処理装置)で、該ＣＰＵ１０はバスライン１１を介し、前記モード切替スイッチ８と、ＲＯＭ１２及びＲＡＭ１３からなる記憶部と、キーボード４からキー信号が入力されるキーボードコントロ―ラ１４、表示器１５を駆動して表示データ文字等を表示させる表示器コントローラ１６、印字部１７を駆動してラベルへの印字を制御する印字部コントローラ１８、ラベルプリンタ１がオンラインプリンタとして使用されるときに外部機器との通信を行う通信インタフェース１９、該通信インタフェース１９を制御する通信インタフェースコントローラ２０と接続されている。
【００１４】
前記印字部１７は、ラベル用紙に印字出力するもので、ダイレクトサーマル方式や感熱リボン転写方式、インクジェット方式、電子写真方式など様々な印刷方式が使用可能である。
【００１５】
前記ＲＯＭ１２には、前記ＣＰＵ１０が各部を制御するためのプログラムデータやキャラクタジェネレータデータ等の固定データが記憶されており、前記ＣＰＵ１０は、ラベルプリンタ１の電源が投入されると図５に示すフロー図に従ってラベルプリンタのプログラムを起動させる。
【００１６】
まず、電源の投入によりプログラムがスタートし、ステップ１（Ｓ１）でモード切替スイッチ８の状態を読み込む。
モード切替スイッチ８がＯＮ（図１の（Ｂ））状態の場合はステップ２へ移行してＲＯＭ１２よりオンラインプリンタのプログラムを読み込み、オンラインプリンタとして起動する（ステップ３）。
【００１７】
一方、ステップ１でモード切替スイッチ８がＯＦＦ（図１の（Ａ））状態の場合はステップ４へ移行してＲＯＭ１２よりスタンドアロンプリンタのプログラムを読み込み、スタンドアロンプリンタとして起動する（ステップ３）。
【００１８】
以上のように、本実施の形態によれば、一台のラベルプリンタ１を単独で入力から印字発行まで行うスタンドアロンモードで使用するには、キーボード４を操作するために、キーボード４を覆う表示部３を開くことが必須となり、果たして表示部３を開いた状態で起動するとラベルプリンタ１はスタンドアロンモードで起動する。
【００１９】
また、オンラインモードではキーボード４を使用しないため、キーボード４を覆う表示部３を閉じて起動すべきことも明らかであり、分かりやすい簡単な操作で、一台のラベルプリンタをスタンドアロンモードとオンラインモードに使い分けることができる。
【００２０】
なお、本発明は上述した形態に限定されることなく、請求項に記載の範囲内で任意の変形が可能である。例えば、プリンタとしてラベルプリンタを例示したが、他の形式のプリンタに適用することも可能である。
【図面の簡単な説明】
【００２１】
【図１】本発明の実施の形態によるラベルプリンタを示す説明図である。
【図２】図１中の入力表示装置の拡大図である。
【図３】図２中の矢示III−III方向断面図である。
【図４】ラベルプリンタの電子回路構成を示すブロック図である。
【図５】ラベルプリンタの起動時の処理を示すフロー図である。
【図６】従来のスタンドアロンタイプのラベルプリンタである。
【図７】従来のオンラインタイプのラベルプリンタである。
【符号の説明】
【００２２】
１…ラベルプリンタ、２…入力表示装置、３…表示部、４…キーボード（手入力部）、５…ガイド溝、６…ガイド突起、８…モード切替スイッチ
【図１】
2005047218.tif 000003
【図２】
2005047218.tif 000004
【図３】
2005047218.tif 000005
【図４】
2005047218.tif 000006
【図５】
2005047218.tif 000007
【図６】
2005047218.tif 000008
【図７】
2005047218.tif 000009